(57)【特許請求の範囲】
【請求項１】
車両に搭載された複数の電装機器を着脱自在に装着する車載用オーディオラックであって、
前記複数の電装機器を内部に挿入するための開口部を有し且つ複数の操作スイッチを設けた操作ユニットにより前記開口部が覆われたラックケースと、
前記操作ユニットに接続された接続ケーブルと、
この接続ケーブルに接続され、前記接続ケーブルを介して選択された前記操作スイッチからの操作信号を入力しその操作信号に対応する前記電装機器を制御する制御部と、
前記ラックケースと前記操作ユニットとを連結し、前記ラックケースに挿入された前記電装機器を別の電装機器と交換するときに前記操作ユニットを前記ラックケースの前記開口部から退避させる退避機構部と、
を備え、
前記退避機構部は、一端が第１の回動ピンにより前記ラックケースに取り付けられた回動自在な第１のリンク棒と、一端が第２の回動ピンにより前記第１のリンク棒の他端に取り付けられ且つ他端が第３の回動ピンにより前記操作ユニットに取り付けられた回動自在な第２のリンク棒とを備え、前記操作ユニットの操作に連動して前記第１のリンク棒及び前記第２のリンク棒を移動させて前記操作ユニットを前記ラックケースの開口部から前記ラックケースの上方に退避させることを特徴とする車載用オーディオラック。
【請求項２】
前記操作ユニットの前記ラックケースへのロック動作、及び前記操作パネルの前記ラックケースへのロック動作を解除する操作ユニットロック機構部を備えることを特徴とする請求項１記載の車載用オーディオラック。
【請求項３】
前記操作ユニットロック機構部は、前記ラックケースに設けられた第１の貫通穴部に填り込む第１の突起部と前記操作ユニットに設けられた第２の貫通穴部に填り込む第２の突起部とが設けられた操作ユニットロック部材からなることを特徴とする請求項２記載の車載用オーディオラック。
【請求項４】
前記ラックケースに挿入された前記電装機器を前記ラックケース内にロックする電装機器ロック機構部を備えることを特徴とする請求項１記載の車載用オーディオラック。
【請求項５】
前記電装機器ロック機構部は、押圧部材と、
Ｃ字形状をなす回動可能な回動部材を有し前記押圧部材の前記回動部材の一端部への押圧により前記回動部材が回動して前記回動部材の他端部が前記電装機器に設けられた溝部に填り込むロック部材と、
を備えることを特徴とする請求項４記載の車載用オーディオラック。
【発明の詳細な説明】
【０００１】
【発明の属する技術分野】
本発明は、車両に搭載された複数の電装機器を着脱自在に装着するとともに、複数の電装機器を交換可能なスロット構造を持つ車載用オーディオラックに関する。
【０００２】
【従来の技術】
従来、車両の前部にはオーディオ機器を収納するセンタークラスタモジュールが搭載されているが、このセンタークラスタモジュールはオーディオ機器のコンポーネントを挿入するためのケースであった。このため、機器毎に電源線や信号線を連結しなければならず、電源線や信号線の配索が複雑になり、機器の組み付けに多大な時間がかかると共に、かなりのコストがかかっていた。
【０００３】
また、機器毎にその機器に操作スイッチが設けられているので、ラックの下部にある機器を操作する場合には、目線を落として操作スイッチを操作しなければならず、機器の操作性、視認性が悪く、運転中の安全性に欠けているという課題を有していた。
【０００４】
【発明が解決しようとする課題】
そこで、本出願人は、前記課題を解決したものとして、未公知の特願平１０−９０２４０号（平成１０年４月２日に出願されたセンタクラスタモジュール及びそのシステム並びに電装機器コネクタシステム）を出願済みである。このセンタークラスタモジュールについて以下説明する。
【０００５】
図９（ａ）に示すセンタークラスタモジュール１は、表示ブロックと図９（ｂ）に示すヘッドユニットとからなる。表示ブロックは、オーディオビデオデータを表示するディスプレイ１１からなり、ヘッドユニット１２は、スイッチユニット１３、本体ユニット１４からなる。
【０００６】
本体ユニット１４は、コントローラ１５、機器接続スロット１９を有し、機器接続スロット１９にはラジオ２５、カセット２７ａ、コンパクトディスク（以下、ＣＤと称する。）２８等の電装機器が着脱自在に装着される。機器接続スロット１９には、バスライン２９が設けられ、バスライン２９は、コントローラ１５に接続される。
【０００７】
スイッチユニット１３は、複数の操作スイッチ１３ａ〜１３ｅからなり、複数の操作スイッチ１３ａ〜１３ｅは、機器接続スロット１９に接続される各種の機器の数に対応して設けられる。コントローラ１５は、複数の操作スイッチ１３ａ〜１３ｅからの操作信号によりバスライン２９を介して機器接続スロット１９に接続された機器を制御する。
【０００８】
図９（ｂ）に示すように、前部には各種の機器を収納するためのラック１７ａ〜１７ｃが設けられ、後部には機器接続スロット１９が配置される。機器接続スロット１９は、スロット基板２１を有しており、スロット基板２１はラック１７ａ〜１７ｃに組み込まれている。
【０００９】
このように、機器接続スロット１９に各機器を装着し、装着された各機器をバスライン２９に接続し、各機器がバスライン２９を介してコントローラ１５に接続される。すなわち、センタークラスタモジュール１をラック構造に形成し、機器は機器接続スロット１９に自在に差し替えできるため、機器の拡張性が得られると共に、組み立て性が向上する。
【００１０】
また、複数の操作スイッチ１３ａ〜１３ｅの操作によりコントローラ１５がバスライン２９を介して各機器をコントロールするので、各操作スイッチ１３ａ〜１３ｅをそれぞれの機器に設ける必要がなくなる。従って、コストを低減でき、複数の操作スイッチが運転者の操作しやすい場所に一括して配置されているので、運転中の安全性を確保できる。
【００１１】
さらに、図１１に示すように、表示部１０は、溝部４５に装着され、コネクタ４８に接続される。ヘッドユニット１２はセンタークラスタベゼル５０に組み付けられ、センタークラスタベゼル５０に化粧パネル５１が取り付けられ、センタークラスタモジュール１が完成される。センタークラスタモジュール１は、センターコンソール４３の拡張ラック４７に収納され、コネクタ４９に接続され、電気的にバスライン３１に接続される。
【００１２】
また、図１２に示すように、複数の電装機器が装着された本体ユニット５３は、前面フレーム５４、コネクタ５５を有し、本体ユニット５３の前面に配置されたスイッチユニット５６は、複数の操作スイッチが設けられたベースフェイス５７、複数の操作スイッチが設けられたサブフェイス５９を有する。
【００１３】
そして、本体ユニット５３にスイッチユニット５６を取り付ける場合には、サブフェイス５９をベースフェイス５７に装着し、開口部６２にプレート６０を装着し、開口部６３にプレート６１を装着し、ベースフェイス５７をコネクタ５５に接続することによりスイッチユニット５６を前面フレーム５４に装着する。
【００１４】
しかしながら、図１２に示す本体ユニット５３及びスイッチユニット５６にあっては、以下のような問題があった。すなわち、本体ユニット５３に装着された電装機器を別の電装機器と交換する場合には、一旦、スイッチユニット５６（以下、操作パネルと称する。）を本体ユニット５３のコネクタ５５から取り外さなければならず、作業者の負担になっていた。
【００１５】
また、操作パネルと本体ユニット５３に設けられた操作基板（図示せず）とはコネクタ５５により接続されているため、操作パネルを取り外した際に、接続不良等が発生するおそれもあった。
【００１６】
本発明は、電装機器を交換時にビスやコネクタ等を取り外すことなく容易に電装機器を交換することができ、しかも電装機器の交換時に接続不良等の不具合を防止することができる車載用オーディオラックを提供することを課題とする。
【００１７】
【課題を解決するための手段】
本発明は前記課題を解決するために以下の構成とした。請求項１の発明は、車両に搭載された複数の電装機器を着脱自在に装着する車載用オーディオラックであって、前記複数の電装機器を内部に挿入するための開口部を有し且つ複数の操作スイッチを設けた操作ユニットにより前記開口部が覆われたラックケースと、前記操作ユニットに接続された接続ケーブルと、この接続ケーブルに接続され、前記接続ケーブルを介して選択された前記操作スイッチからの操作信号を入力しその操作信号に対応する前記電装機器を制御する制御部と、前記ラックケースと前記操作ユニットとを連結し、前記ラックケースに挿入された前記電装機器を別の電装機器と交換するときに前記操作ユニットを前記ラックケースの前記開口部から退避させる退避機構部とを備え、前記退避機構部は、一端が第１の回動ピンにより前記ラックケースに取り付けられた回動自在な第１のリンク棒と、一端が第２の回動ピンにより前記第１のリンク棒の他端に取り付けられ且つ他端が第３の回動ピンにより前記操作ユニットに取り付けられた回動自在な第２のリンク棒とを備え、前記操作ユニットの操作に連動して前記第１のリンク棒及び前記第２のリンク棒を移動させて前記操作ユニットを前記ラックケースの開口部から前記ラックケースの上方に退避させることを特徴とする。
【００１８】
請求項１の発明によれば、通常では、ラックケースに複数の電装機器が装着され、ラックケースの開口部が操作ユニットに覆われ、操作ユニットのいずれかの操作スイッチを操作すると、操作信号が接続ケーブルを介して制御部に送られ、制御部によりその操作信号に対応する電装機器が制御される。
【００１９】
また、ラックケースに挿入された電装機器を別の電装機器と交換するときには、退避機構部は、操作ユニットをラックケースの開口部から退避させるため、コネクタ等を外すことなく容易に電装機器を交換することができ、また、接続不良等の不具合を防止することができる。
【００２１】
また、ラックケースに取り付けられた回動自在な第１のリンク棒と、第１のリンク棒に取り付けられ且つ操作ユニットに取り付けられた回動自在な第２のリンク棒とを操作することで、操作ユニットをラックケースの開口部から退避させることができる。
【００２２】
請求項２の発明は、前記操作ユニットの前記ラックケースへのロック動作、及び前記操作パネルの前記ラックケースへのロック動作を解除する操作ユニットロック機構部を備えることを特徴とする。
【００２３】
請求項２の発明によれば、操作ユニットロック機構部が、操作ユニットをラックケースへロックさせたり、操作パネルのラックケースへのロック動作を解除することができる。
【００２４】
請求項３の発明のように、前記操作ユニットロック機構部は、前記ラックケースに設けられた第１の貫通穴部に填り込む第１の突起部と前記操作ユニットに設けられた第２の貫通穴部に填り込む第２の突起部とが設けられた操作ユニットロック部材からなることを特徴とする。
【００２５】
請求項３の発明によれば、操作ユニットをラックケースに装着したときに、操作ユニットロック部材の第１の突起部がラックケースに設けられた第１の貫通穴部に填り込み、第２の突起部が操作ユニットに設けられた第２の貫通穴部に填り込むため、ラックケースに操作ユニットをロックすることができる。また、第２の貫通穴部に填り込んだ第２の突起部を押すと、第１の突起部が第１の貫通穴部から飛び出るため、ラックケースへの操作ユニットのロックが解除される。
【００２６】
請求項４の発明は、前記ラックケースに挿入された前記電装機器を前記ラックケース内にロックする電装機器ロック機構部を備えることを特徴とする。
【００２７】
請求項４の発明によれば、電装機器ロック機構部は、ラックケースに挿入された電装機器をラックケース内にロックするため、電装機器がラックケース内で動かなくなる。
【００２８】
請求項５の発明のように、前記電装機器ロック機構部は、押圧部材と、Ｃ字形状をなす回動可能な回動部材を有し前記押圧部材の前記回動部材の一端部への押圧により前記回動部材が回動して前記回動部材の他端部が前記電装機器に設けられた溝部に填り込むロック部材とを備えることを特徴とする。
【００２９】
請求項５の発明によれば、押圧部材がＣ字形状をなす回動可能な回動部材の一端部を押圧すると、回動部材が回動して、回動部材の他端部が電装機器に設けられた溝部に填り込むため、電装機器をロックすることができる。
【００３０】
【発明の実施の形態】
以下、本発明の車載用オーディオラックの実施の形態を図面を参照して説明する。図１に操作パネルを装着した車載用オーディオラックを示す。図２に操作パネルを車載用オーディオラックの上方へ退避させた状態を示す。
【００３１】
図１に示す車載用オーディオラックは、車体側に取り付けられ、車両に搭載された複数の電装機器を着脱自在に装着するラックケース７１と、複数の電装機器をラックケース７１内部に挿入するための開口部７１ａとを有する。
【００３２】
このラックケース７１の前面である開口部７１ａには図１に示すように、複数の操作スイッチを設けた操作ユニットとしての操作パネル７２が装着されている。この操作パネル７２は、選択された操作スイッチによりラックケース７１に挿入された電装機器を制御するもので、操作スイッチ７３ａ，７３ｂ、ＣＤドライブやカセットドライブ等の媒体を挿入するための媒体挿入口７４ａ，７４ｂを有している。
【００３３】
また、ラックケース７１と操作パネル７２とは退避機構部としてのリンク機構部７５により連結されており、このリンク機構部７５は、操作パネル７２をラックケース７１に装着させたり、ラックケース７１に挿入された電装機器を別の電装機器と交換するときに、図２に示すように、操作パネル７２をラックケース７１の開口部７１ａから上方へ退避させる。
【００３４】
リンク機構部７５は、第１の回動ピン７７ａと、一端が第１の回動ピン７７ａによりラックケース７１に取り付けられた回動自在な第１のリンク棒７６ａと、第２の回動ピン７７ｂと、第３の回動ピン７７ｃと、一端が第２の回動ピン７７ｂにより第１のリンク棒７６ａの他端に取り付けられ且つ他端が第３の回動ピン７７ｃにより操作パネル７２に取り付けられた回動自在な第２のリンク棒７６ｂとを備える。
【００３５】
ラックケース７１には、図２に示すように、媒体挿入口７８ａが設けられたカセットドライブ７８と、媒体挿入口７９ａが設けられたＣＤドライブ７９とが装着されている。
【００３６】
また、ラックケース７１に設けられた接続ケーブルとしてのフラットケーブル８０は、操作パネル７２に接続され、操作パネル７２とラックケース７１内のメイン基板８６とを電気的に接続している。フラットケーブル８０は、操作パネル７２をラックケース７１の開口部７１ａから上方に退避させても良いほどに十分な長さを有している。
【００３７】
また、ラックケース７１の両側面には爪ロック穴部８１が設けられており、この爪ロック穴部８１には操作パネル７２に設けられた爪部８２が填り込むようになっている。操作パネル７２の側面にはリリースボタン８３が配置されている。爪ロック穴部８１、爪部８２、及びリリースボタン８３については、図４において詳細に説明する。
【００３８】
図３にラックケース、リンク機構部、及び操作パネルの詳細な構成図を示す。図３において、ラックケース７１には、ラックケース７１に装着された電装機器を制御するための制御部を有するメイン基板８６が設けられており、このメイン基板８６には前述したフラットケーブル８０が接続されている。
【００３９】
メイン基板８６は、バス基板８７に接続され、ラックケース７１に装着されたＣＤドライブ７９の後方には待ち受けコネクタ８８が接続され、この待ち受けコネクタ８８は、バス基板８７に取り付けられている。
【００４０】
なお、ラックケース７１に装着されたカセットドライブ７８の後方にも同一の待ち受けコネクタ８８が接続され、この待ち受けコネクタ８８は、バス基板８７に取り付けられている。
【００４１】
このような構成によれば、操作パネル７２の操作スイッチ７３ａ等を操作することで、フラットケーブル８０を介して操作信号がメイン基板８６に送られる。そして、メイン基板８６内の制御部は、操作スイッチからの操作信号に応じて、バス基板８７、及び待ち受けコネクタ８８を介して対応する電装機器を制御することができる。
【００４２】
また、リンク機構部７５は、ラックケース７１の両側面に対応して２個設けられ、２個のリンク機構部７５によって、操作パネル７２がラックケース７１に装着されたり、あるいは操作パネル７２がラックケース７１の開口部７１ａから退避されるようになっている。
【００４３】
図４に操作パネルロック機構部の構成図を示す。図５に操作パネルのラックケースへのロックを解除する状態を示す。図４において、操作パネルロック機構部９０は、操作パネル７２またはラックケース７１内に設けられ、操作パネル７２のラックケース７１へのロック動作、及び操作パネル７２のラックケース７１へのロック動作を解除するものである。
【００４４】
操作パネルロック機構部９０は、先端に第１の突起部としての爪部８２を設けるとともに、一部が突起した第２の突起部としてのリリースボタン８３を設けてなる。
【００４５】
爪部８２は、ラックケース７１に設けられた第１の貫通穴部としての爪ロック穴部８１に填り込むようになっていて、この爪部８２によりラックケース７１に操作パネル７２がロックされるようになっている。
【００４６】
リリースボタン８３は、操作パネル７２に設けられた第２の貫通穴部としての穴部９１に填め込まれるようになっていて、利用者のボタン押圧により爪部８１を爪ロック穴部８１から外すことで、操作パネル７２のラックケース７１へのロックを解除するようになっている。
【００４７】
図６にオーディオ機器等が組み付けられたベゼルを示す。ベゼル９２には、ダクト９３と、操作パネルが取り付けられたオーディオ機器９４と、エアコンディショナー（エアコン）９５と、灰皿９６とが組み付けられて構成される。
【００４８】
図７に機器ロック機構部を備えたラックケースを示す。図８に機器ロック機構部による電装機器のラックケースへのロック状態を示す。
【００４９】
図７において、ラックケース７１には電装機器であるＣＤドライブ７９が挿入され、このＣＤドライブ７９の後面には待ち受けコネクタ８８が取り付けられ、この待ち受けコネクタ８８は、バス基板８７に接続されている。ＣＤドライブ７９の左側にはメイン基板８６が配置され、このメイン基板８６は、電子部品８９を介してバス基板８７に接続されている。
【００５０】
ＣＤドライブ７９には溝部９７が形成されている。ラックケース７１には押圧部材としてのロックボタン８４と、回動ピン９９と、この回動ピン９９を中心に回動可能なＣ字形状をなす回動部材９８とが設けられている。
【００５１】
ロックボタン８４が回動部材９８の一端部９８ｂを押圧すると、回動部材９８が回動して、回動部材９８の他端部９８ａがＣＤドライブ７９に設けられた溝部９７に填り込むようになっている。
【００５２】
ロックボタン８４、回動部材９８、及び回動ピン９９は、ＣＤドライブ７９をロックする電装機器ロック機構部としての機器ロック機構部を構成し、回動部材９８、及び回動ピン９９は、ロック部材を構成している。
【００５３】
次に、このように構成された実施の形態の車載用オーディオラックの動作を図面を参照して詳細に説明する。予め操作パネル７２がラックケース７１に装着され、爪部８２がラックケース７１に設けられた爪ロック穴部８１に填り込んでいるものとする。
【００５４】
次に、図６に示すベゼル９２を外し、次に、図５に示すように、操作パネル７２に設けられたリリースボタン８３を右方向に押圧する。
【００５５】
すると、操作パネルロック機構部９０がたわみ、操作パネルロック機構部９０に設けられた爪部８２も右方向（矢印方向Ｐ）へ移動するため、爪部８２が爪ロック穴部８１から外れることになる。その結果、操作パネル７２のラックケース７１へのロックが解除される。
【００５６】
次に、操作パネル７２を前方に引くと、第１のリンク棒７６ａ及び第２のリンク棒７６ｂが前方に引かれてほぼ一直線上となるため、操作パネル７２が前方に移動する。
【００５７】
さらに、操作パネル７２を上方に押し上げると、図２に示すように、第２のリンク棒７６ｂが操作パネル７２の移動に伴って上方に移動する。このため、第１のリンク棒７６ａと第２のリンク棒７６ｂとはほぼ直角となるから、ラックケース７１の開口部７１ａから操作パネル７２を退避させることができる。
【００５８】
その結果、ラックケース７１に挿入された電装機器であるＣＤドライブ７９，カセットドライブ７８を取り出し可能となるため、利用者は、変更前のドライブを取り出して、変更後のドライブをラックケース７１に挿入することができる。そして、変更後のドライブを待ち受けコネクタ８８に接続する。
【００５９】
次に、変更後のドライブをラックケース７１に挿入した後には、操作パネル７２を下方に移動させ、さらに、操作パネル７２を後方へ押すと、図１に示すような状態となる。
【００６０】
そして、操作パネル７２をラックケース７１に取り付ける。このときには、図４に示すように、爪部８２がラックケース７１に設けられた爪ロック穴部８１に填り込むことで、操作パネル７２がラックケース７１にロックされる。
【００６１】
また、このとき、操作パネル７２の後面がラックケース７１に設けられたロックボタン８４を押圧する。このため、ロックボタン８４が回動部材９８の一端部９８ｂを押圧するから、回動部材９８が回動して、回動部材９８の他端部９８ａがＣＤドライブ７９に設けられた溝部９７に填り込む。従って、ＣＤドライブ７９などの電装機器をラックケース７１内にロックすることができる。
【００６２】
このように、ラックケース７１に装着された電装機器を別の電装機器と交換するときに、リンク機構部７５が、操作パネル７２をラックケース７１の開口部から退避させるため、ビス等の締め付け部品をドライバー等によって外すことなく、また、コネクタ等も外すことなく、容易にラックケース７１に装着された電装機器を交換することができる。
【００６３】
このため、利用者の作業負担を軽減することができる。また、コネクタを外すことがなくなるため、電装機器の交換時に発生する接続不良等の不具合を防止することができる。
【００６４】
また、操作パネル７２をラックケース７１に装着したときに、爪部８２がラックケース７１に設けられた爪ロック穴部８１に填り込み、リリースボタン８３が操作パネル７２に設けられた穴部９１に填り込むため、ラックケース７１に操作パネル７２をロックすることができる。
【００６５】
また、穴部９１に填り込んだリリースボタン８３を押すと、爪部８２が爪ロック穴部８１から飛び出るため、ラックケース７１への操作パネル７２のロックを解除することができる。
【００６６】
なお、本発明は、前述した実施の形態の車載用オーディオラックに限定されるものではない。電装機器は、実施の形態に例示した機器に限定されるものではなく、その他の電装機器であってもよい。このほか、本発明の技術的思想を逸脱しない範囲で種々変形して実施可能であるのは勿論である。
【００６７】
【発明の効果】
請求項１の発明によれば、通常では、ラックケースに複数の電装機器が装着され、ラックケースの開口部が操作ユニットに覆われ、操作ユニットのいずれかの操作スイッチを操作すると、操作信号が接続ケーブルを介して制御部に送られ、制御部によりその操作信号に対応する電装機器が制御される。
【００６８】
また、ラックケースに挿入された電装機器を別の電装機器と交換するときには、退避機構部は、操作ユニットをラックケースの開口部から退避させるため、コネクタ等を外すことなく容易に電装機器を交換することができ、また、接続不良等の不具合を防止することができる。
【００６９】
また、ラックケースに取り付けられた回動自在な第１のリンク棒と、第１のリンク棒に取り付けられ且つ操作ユニットに取り付けられた回動自在な第２のリンク棒とを操作することで、操作ユニットをラックケースの開口部から退避させることができる。
【００７０】
請求項２の発明によれば、操作ユニットロック機構部が、操作ユニットをラックケースへロックさせたり、操作パネルのラックケースへのロック動作を解除することができる。
【００７１】
請求項３の発明によれば、操作ユニットをラックケースに装着したときに、操作ユニットロック部材の第１の突起部がラックケースに設けられた第１の貫通穴部に填り込み、第２の突起部が操作ユニットに設けられた第２の貫通穴部に填り込むため、ラックケースに操作ユニットをロックすることができる。また、第２の貫通穴部に填り込んだ第２の突起部を押すと、第１の突起部が第１の貫通穴部から飛び出るため、ラックケースへの操作ユニットのロックが解除される。
【００７２】
請求項４の発明によれば、電装機器ロック機構部は、ラックケースに挿入された電装機器をラックケース内にロックするため、電装機器がラックケース内で動かなくなる。
【００７３】
請求項５の発明によれば、押圧部材がＣ字形状をなす回動可能な回動部材の一端部を押圧すると、回動部材が回動して、回動部材の他端部が電装機器に設けられた溝部に填り込むため、電装機器をロックすることができる。
【図面の簡単な説明】
【図１】操作パネルを装着した車載用オーディオラックを示す図である。
【図２】操作パネルを車載用オーディオラックの上方へ退避させた状態を示す図である。
【図３】ラックケース、リンク機構部、及び操作パネルの詳細な構成図である。
【図４】操作パネルロック機構部の構成図である。
【図５】操作パネルのラックケースへのロックを解除する状態を示す図である。
【図６】各種の機器を組み付けたベゼルを示す図である。
【図７】機器ロック機構部を備えたラックケースを示す図である。
【図８】機器ロック機構部による電装機器のラックケースへのロック状態を示す図である。
【図９】センタークラスタモジュールの構成図である。
【図１０】センタークラスタモジュールシステムの構成ブロック図である。
【図１１】センタークラスタモジュールのラックへの組み付けを示す図である。
【図１２】複数の電装機器が装着された本体ユニット、及びスイッチユニットを示す図である。
【符号の説明】
７１  ラックケース
７１ａ  開口部
７２  操作パネル
７３ａ，７３ｂ  操作スイッチ
７４ａ，７４ｂ  媒体挿入口
７５  リンク機構部
７６ａ  第１の回動ピン
７７ａ  第１のリンク棒
７７ｂ  第２のリンク棒
７８  カセットドライブ
７９  ＣＤドライブ
８０  フラットケーブル
８１  爪ロック穴部
８２  爪部
８３  リリースボタン
８４  ロックボタン
８６  メイン基板
８７  バス基板
８８  待ち受けコネクタ
９０  操作パネルロック機構部
９１  穴部
９２  ベゼル
９７  溝部
９８  ロック部材
【図１】
0004051137.tif 000002
【図２】
0004051137.tif 000003
【図３】
0004051137.tif 000004
【図４】
0004051137.tif 000005
【図５】
0004051137.tif 000006
【図６】
0004051137.tif 000007
【図７】
0004051137.tif 000008
【図８】
0004051137.tif 000009
【図９】
0004051137.tif 000010
【図１０】
0004051137.tif 000011
【図１１】
0004051137.tif 000012
【図１２】
0004051137.tif 000013